(57)【要約】【課題】  支柱を配置した後、シート状物を容易に支柱に取り付けることができるように構成された連結装置を提供する。【解決手段】  連結装置（１００）は、第１連結部材（１０２）と、第２連結部材（１１２）と、シート状物を支持するための支持部材（１２２）とを備える。第１連結部材（１０２）の壁部は、他のシート状物を支持するための第２の支持部材（１２２）を取付けられるようになっており、第２連結部材（１１２）の壁部は、更に他のシート状物を支持するための第３の支持部材（１２２）を取付けられるようになっている。【選択図】      図１
2005180025.tif 000002
【特許請求の範囲】
【請求項１】
複数の支柱を含む構造物の支柱の間にシート状物を取付けるための連結装置であって、
支柱の外周側面の一部に接触するように取付けることができるように構成された第１連結部材（１０２）と、
前記支柱の外周側面の他の一部に接触するように取付けることができ、かつ、前記第１連結部材（１０２）と組み合わせることができるように構成された第２連結部材（１１２）と、
前記第１連結部材（１０２）の壁部に取付けられ、かつ、シート状物を支持するための支持部材（１２２）とを備え、
前記第１連結部材（１０２）の壁部は、他のシート状物を支持するための第２の支持部材（１２２）を取付けられるようになっており、
前記第２連結部材（１１２）の壁部は、更に他のシート状物を支持するための第３の支持部材（１２２）を取付けられるようになっている、
ことを特徴とする連結装置。
【請求項２】
前記第２連結部材（１１２）の壁部は、なお更に他のシート状物を支持するための第４の支持部材（１２２）を取付けられるようになっていることを特徴とする請求項１に記載の連結装置。
【請求項３】
前記第１連結部材（１０２）は、前壁部（１０２ｂ）と、左壁部（１０２ｃ）とを含み、前記前壁部（１０２ｂ）と、前記左壁部（１０２ｃ）は、直角をなすように形成されており、前記前壁部（１０２ｂ）は、支持部材（１２２）を取付けるようになっており、前記左壁部（１０２ｃ）は、支持部材（１２２）を取付けるようになっており、
前記第２連結部材（１１２）は、後壁部（１１２ｂ）と、右壁部（１１２ｃ）と、左フランジ部（１１２ｅ）とを含み、前記後壁部（１１２ｂ）と、前記右壁部（１１２ｃ）は、直角をなすように形成されており、前記後壁部（１１２ｂ）と、前記左フランジ部（１１２ｅ）は、平行に形成されており、後壁部（１１２ｂ）は、支持部材（１２２）を取付けるようになっており、前記右壁部（１１２ｃ）は、支持部材（１２２）を取付けるようになっている、
ことを特徴とする請求項１に記載の連結装置。
【請求項４】
第１連結部材（３０２）の壁部は、円弧状に形成された部分（３０２ｘ）を含み、第２連結部材（３１２）の壁部は、円弧状に形成された部分（３１２ｘ）を含むように構成されることを特徴とする請求項１に記載の連結装置。
【請求項５】
複数の支柱を含む構造物の支柱の間にシート状物を取付けるための連結装置であって、
支柱の外周側面の一部に接触するように取付けることができるように構成された第１連結部材（１０２）と、
前記第１連結部材（１０２）と組み合わせることができるように構成された第２連結部材（１１２）と、
前記第１連結部材（１０２）の壁部に取付けられ、かつ、第１のシート状物を支持するための第１の斜め型支持部材（２２２）と、
前記第２連結部材（１１２）の壁部に取付けられ、かつ、第２のシート状物を支持するための第２の斜め型支持部材（２２２）とを備え、
前記２つの斜め型支持部材（２２２）は、第１保持壁部（２２２ｂ）と、第２保持壁部（２２２ｃ）と、取付壁部（２２２ｄ）とを含み、前記第１保持壁部（１２２ｂ）と、前記取付壁部（１２２ｄ）のなす角度をＤＢとし、前記第２保持壁部（２２２ｃ）と、前記取付壁部（１２２ｄ）のなす角度をＤＣとしたとき、前記ＤＢは６０度であり、前記ＤＣは１２０度であるように構成される、
ことを特徴とする連結装置。
【請求項６】
請求項５に記載されている連結装置であって、前記第１連結部材（１０２）と、前記第２連結部材（１１２）とを含み、さらに、前記角度ＤＢおよび前記角度ＤＣが異なる値となるように形成された複数の斜め型支持部材を含むように構成されることを特徴とする請求項５に記載の連結装置。
【発明の詳細な説明】
【技術分野】
【０００１】
本発明は、構造物の支柱の間にシート状物を取付けるための連結装置に関する。特に、本発明は、テントの支柱に対して複数の方向にテント横幕を取付けることができるように構成された２つの連結部材を含む連結装置に関する。
【背景技術】
【０００２】
従来のパイプホルダは、第１のパイプホルダから第４のパイプホルダからなる。第１のパイプホルダは、４点の接合部を同一平面にそって開口するようにして備える。第２のパイプホルダは、４点の接合部の内、相互に背向して開口する２点の接合部のそれぞれが相互に交叉する平面にそって開口する。第３のパイプホルダは、３点の接合部を同一平面にそって開口するようにして備える。第４のパイプホルダは、３点の接合部の内、２点の接合部が同一平面にそって開口し、他の１点の接合部が相互に交叉する平面にそって開口するようにして備える（例えば、特許文献１参照）。
また、従来のクランプ継手は、周方向の一個所に切欠部を有する二個のクランプ部を、それらの軸線方向が直交する方向へ向けて一体的に形成し、それらのクランプ部の各々に、前記切欠部の切欠間隙を減少させるねじ部材を設け、いずれか一方のクランプ部の、軸線方向の一方の端面を、その軸線と直交させるとともに、他方のクランプ部の外接平面内に位置させ、前記一方のクランプ部の、軸線方向の他方の端面を、その軸線と直交させるとともに、他方のクランプ部の軸線に整列させている（例えば、特許文献２参照）。
【０００３】
さらに、従来の組立用継手は、十字継手と、Ｔ型継手とを有している（例えば、特許文献３参照）。
さらに、従来の骨組部材の連結接続装置は、関節体を中心に骨組部材を放射状に連結固定している（例えば、特許文献４参照）。
【０００４】
【特許文献１】実開平４−１３０６０３号公報（第１２頁、図３〜図２０参照）
【特許文献２】実開昭６２−１５１４１２号公報（第１頁、第１図参照）
【特許文献３】実開平２−１２３５６０号公報（第１頁、第１図参照）
【特許文献４】特公昭４９−１７７００号公報(第１〜２頁、第１図〜第７図参照)
【発明の開示】
【発明が解決しようとする課題】
【０００５】
しかしながら、上記特許文献１〜４に開示されている連結装置は、構成部品の形状が複雑であり、テントの支柱のような棒状部材に対して、直角にかつ複数方向に他の部材を取付けることが困難であるという課題があった。
課題がある。
【０００６】
本発明の目的は、テントなど構造物の支柱を配置した後、１個又は複数のシート状物、例えば横幕を容易に支柱に取り付けることができるように構成された連結装置を提供することにある。
本発明の他の目的は、簡単な構造のテント横幕の連結装置を提供することにある。
本発明のさらに他の目的は、支柱に対して１方向、２方向、３方向のいずれの方向に横幕を取り付けるときでも対応することができるように構成された、使用の自由度が高いテント横幕の連結装置を提供することにある。
【課題を解決するための手段】
【０００７】
本発明は、複数の支柱を含む構造物の支柱の間にシート状物を取付けるための連結装置であって、支柱の外周側面の一部に接触するように取付けることができるように構成された第１連結部材と、支柱の外周側面の他の一部に接触するように取付けることができ、かつ、第１連結部材と組み合わせることができるように構成された第２連結部材と、第１連結部材の壁部に取付けられ、かつ、シート状物を支持するための支持部材とを備えるように構成した。第１連結部材の壁部は、他のシート状物を支持するための第２の支持部材を取付けられるようになっており、第２連結部材の壁部は、更に他のシート状物を支持するための第３の支持部材を取付けられるようになっている。本発明の連結装置においては、第２連結部材の壁部は、なお更に他のシート状物を支持するための第４の支持部材を取付けられるようになっているのが好ましい。この構成により、テントの配置を支持した後、１個又は複数の横幕を容易に支柱に取り付けることができる。
【０００８】
また、本発明の連結装置においては、第１連結部材は、前壁部と、左壁部とを含み、前壁部と、左壁部は、直角をなすように形成され、前壁部は、支持部材を取付けるようになっており、左壁部は、支持部材を取付けるようになっているのが好ましい。さらに、本発明の連結装置においては、第２連結部材は、後壁部と、右壁部と、左フランジ部とを含み、後壁部と、右壁部は、直角をなすように形成され、後壁部と、左フランジ部は、平行に形成されており、後壁部は、支持部材を取付けるようになっており、右壁部は、支持部材を取付けるようになっているのが好ましい。この構成により、テントの配置を支持した後、複数の横幕を容易に支柱に取り付けることができる。
さらに、本発明の連結装置においては、第１連結部材の壁部は、円弧状に形成された部分を含み、第２連結部材の壁部は、円弧状に形成された部分を含むように構成することができる。この構成により、横幕を容易に円形の支柱に取り付けることができる。
【０００９】
さらに、本発明は、複数の支柱を含む構造物の支柱の間にシート状物を取付けるための連結装置であって、支柱の外周側面の一部に接触するように取付けることができるように構成された第１連結部材と、第１連結部材と組み合わせることができるように構成された第２連結部材と、第１連結部材の壁部に取付けられ、かつ、第１のシート状物を支持するための第１の斜め型支持部材と、第２連結部材の壁部に取付けられ、かつ、第２のシート状物を支持するための第２の斜め型支持部材とを備えるように構成した。２つの斜め型支持部材は、第１保持壁部と、第２保持壁部と、取付壁部とを含み、第１保持壁部と、取付壁部のなす角度をＤＢとし、第２保持壁部と、取付壁部のなす角度をＤＣとしたとき、（ＤＢ＋ＤＣ）は１８０度であるように構成される。この構成により、連結装置をさまざまな形のテントに適用することができる。この連結装置では、前記ＤＢは６０度であり、前記ＤＣは１２０度であるように構成することができる。この構成により、連結装置を正六角形のテントに適用することができる。さらに、本発明の連結装置は、前記第１連結部材と、前記第２連結部材とを含み、さらに、前記角度ＤＢおよび前記角度ＤＣが異なる値となるように形成された複数の斜め型支持部材を含むように構成することもできる。この構成により、本発明の連結装置は、さまざまな種類の多角形形状を有するテントに適用することができる。
【発明の効果】
【００１０】
本発明の連結装置を用いることにより、テントの配置を支持した後、１個又は複数の横幕を容易に支柱に取り付けることができる。また、本発明の連結装置は、支柱に対して複数の方向（例えば、１方向〜４方向）に横幕を取り付ける場合に対応することができる。本発明の連結装置は、さまざまな種類の多角形形状を有するテントに適用することができる。
【発明を実施するための最良の形態】
【００１１】
以下に、本発明の実施の形態を図面に基づいて説明する。
（１）第１の実施の形態
最初に、本発明の連結装置の第１の実施の形態を説明する。
（１・１）連結装置の構造
以下に、本発明の連結装置の第１の実施の形態において、連結装置１００の構造を説明する。図１〜図５を参照すると、連結装置１００は、テントの支柱（図示せず）の外周側面の一部に接触するように取付けることができるように構成された第１連結部材１０２と、前記支柱の外周側面の他の一部に接触するように取付けることができ、かつ、第１連結部材１０２と組み合わせることができるように構成された第２連結部材１１２と、第１連結部材１０２の１つの壁部に取付けられ、かつ、第１の横幕（図示せず）を支持するための第１支持部材１２２と、第１連結部材１０２の他の壁部に取付けられ、かつ、第２の横幕（図示せず）を支持するための第２支持部材１２４と、第２連結部材１１２の１つの壁部に取付けられ、かつ、第３の横幕（図示せず）を支持するための第３支持部材１２６とを備える。通常、テントには複数の支柱が設けられる。例えば、平面形状が正方形又は長方形のテントにおいては、４つのコーナ部にそれぞれ支柱が設けられる。典型的なテントの支柱は、その水平断面形状が正方形又は円形である。本発明の連結装置１００は、水平断面形状が正方形である支柱に適用することもできるし、水平断面形状が円形である支柱に適用することもできるし、或いは、水平断面形状が他の形状である支柱に適用することもできる。
【００１２】
図示した実施形態においては、第１支持部材１２２は第１連結部材１０２の１つの壁部に対して溶接により取付けられる。溶接箇所は２箇所であるのが好ましい。或いは、溶接箇所は１箇所であってもよいし、３箇所以上であってもよい。或いは、第１支持部材１２２は第１連結部材１０２に対してボルト及びナットを用いて取付けることも出来るし、リベットピンを用いて取付けることも出来るし、接着により取付けることも出来るし、他の接合方法を用いて取付けることも出来る。図示した実施形態においては、第２支持部材１２４は第１連結部材１０２の他の壁部に対してボルト１３６及びナット１３８を用いて取付けられる。ボルト止め箇所は２箇所であるのが好ましい。或いは、ボルト止め箇所は１箇所であってもよいし、３箇所以上であってもよい。図示した実施形態においては、第３支持部材１２６は第２連結部材１１２の１つの壁部に対してボルト１３６及びナット１３８を用いて取付けられる。ボルト止め箇所は２箇所であるのが好ましい。或いは、ボルト止め箇所は１箇所であってもよいし、３箇所以上であってもよい。第１支持部材１２２を第１連結部材１０２に対してボルト及びナット、或いは、リベットピンを用いて取付けるとき、ナットまたはリベットピンが取付け面から出っ張るので、取付け面にゴム又は樹脂のシートを接着するのがよい。
【００１３】
図６〜図８を参照すると、第１連結部材１０２は、前壁部１０２ｂと、左壁部１０２ｃとを含む。前壁部１０２ｂと、左壁部１０２ｃは、直角をなすように形成される。第１連結部材１０２は、ステンレス鋼、アルミニウム合金などの金属で形成される。或いは、第１連結部材１０２は、プラスチックで形成することもできる。第２支持部材１２４を取付けるためのボルトを通すための２つの取付基準穴１０２ｍ、１０２ｎが前壁部１０２ｂに設けられる。取付基準穴は２箇所であるのが好ましい。或いは、取付基準穴は１箇所であってもよいし、３箇所以上であってもよい。第１支持部材１２２を取付けるための基準となる２つの取付基準穴１０２ｆ、１０２ｇが左壁部１０２ｃに設けられる。取付基準穴は２箇所であるのが好ましい。或いは、取付基準穴は１箇所であってもよいし、取付基準穴以上であってもよい。第２連結部材１１２の１つの壁部と嵌め合うための前壁スリット１０２ｊが前壁部１０２ｂに設けられる。前壁スリット１０２ｊは、前壁部１０２ｂの上縁部から下方に向かって形成される。さらに、第２連結部材１１２の他の壁部と嵌め合うための左壁スリット１０２ｋが左壁部１０２ｃに設けられる。左壁スリット１０２ｋは、左壁部１０２ｃの上縁部から下方に向かって形成される。取付基準穴１０２ｍの寸法形状は、取付基準穴１０２ｎの寸法形状と同じになるように構成されるのが好ましい。取付基準穴１０２ｆの寸法形状は、取付基準穴１０２ｇの寸法形状と同じになるように構成されるのが好ましい。取付基準穴１０２ｆの寸法形状は、取付基準穴１０２ｍの寸法形状と同じになるように構成されるのが好ましい。取付基準穴１０２ｆの寸法形状は、取付基準穴１０２ｎの寸法形状と同じになるように構成されるのが好ましい。取付基準穴１０２ｆと取付基準穴１０２ｇの中心距離は、取付基準穴１０２ｍと取付基準穴１０２ｎの中心距離と同じになるように構成されるのが好ましい。
【００１４】
図９〜図１１を参照すると、第２連結部材１１２は、後壁部１１２ｂと、右壁部１１２ｃと、左壁部１１２ｄと、左フランジ部１１２ｅとを含む。後壁部１１２ｂと、右壁部１１２ｃは、直角をなすように形成される。後壁部１１２ｂと、左壁部１１２ｄは、直角をなすように形成される。左壁部１１２ｄと、左フランジ部１１２ｅは、直角をなすように形成される。後壁部１１２ｂと、左フランジ部１１２ｅは、平行に形成される。第２連結部材１１２は、ステンレス鋼、アルミニウム合金などの金属で形成される。或いは、第２連結部材１１２は、プラスチックで形成することもできる。第３支持部材（図示せず）を取付けるためのボルトを通すための２つの取付基準穴１１２ｍ、１１２ｎが右壁部１１２ｃに設けられる。第４支持部材（図示せず）を取付けるためのボルトを通すための２つの取付基準穴１１２ｆ、１１２ｇが後壁部１１２ｂに設けられる。取付基準穴は２箇所であるのが好ましい。或いは、取付基準穴は１箇所であってもよいし、３箇所以上であってもよい。
【００１５】
第１連結部材１０２の１つの壁部と嵌め合うための後壁スリット１１２ｊが後壁部１１２ｂに設けられる。後壁スリット１１２ｊは、後壁部１１２ｂの下縁部から上方に向かって形成される。さらに、第１連結部材１０２の他の壁部と嵌め合うための右壁スリット１１２ｋが右壁部１１２ｃに設けられる。右壁スリット１１２ｋは、右壁部１１２ｃの下縁部から上方に向かって形成される。第１連結部材１０２と第２連結部材１１２を固定するためのボルトを通すための固定ボルト穴１１２ｈが左フランジ部１１２ｅに設けられる。固定ボルト穴は１箇所であるのが好ましい。或いは、固定ボルト穴は２箇所以上であってもよい。ボルト穴１１２ｆの寸法形状は、ボルト穴１１２ｇの寸法形状と同じになるように構成されるのが好ましい。取付基準穴１１２ｍの寸法形状は、取付基準穴１１２ｍの寸法形状と同じになるように構成されるのが好ましい。取付基準穴１１２ｆと取付基準穴１１２ｇの中心距離は、取付基準穴１１２ｍと取付基準穴１１２ｎの中心距離と同じになるように構成されるのが好ましい。取付基準穴１１２ｆと取付基準穴１１２ｇの中心距離は、取付基準穴１０２ｍと取付基準穴１０２ｎの中心距離と同じになるように構成されるのが好ましい。第１連結部材１０２の前壁部１０２ｂ、第１連結部材１０２の左壁部１０２ｃ、第２連結部材１１２の後壁部１１２ｂ、第２連結部材１１２の右壁部１１２ｃは、第１連結部材１０２と第２連結部材１１２を組み立てて固定したとき、内側の水平断面が正方形になるように構成される。この構成により、本発明の連結装置は、水平断面が正方形の支柱に適用できるだけでなく、水平断面が円形の支柱にも適用できるし、また、水平断面が多角形の支柱にも適用できる。
【００１６】
図１２〜図１４を参照すると、第１支持部材１２２は、第１保持壁部１２２ｂと、第２保持壁部１２２ｃと、取付壁部１２２ｄとを含む。第１保持壁部１２２ｂと、取付壁部１２２ｄは、直角をなすように形成される。第２保持壁部１２２ｃと、取付壁部１２２ｄは、直角をなすように形成される。第１支持部材１２２は、ステンレス鋼、アルミニウム合金などの金属で形成される。或いは、第１支持部材１２２は、プラスチックで形成することもできる。第２支持部材１２４は、第１支持部材１２２と同じように形成される。また、第３支持部材１２６は、第１支持部材１２２と同じように形成される。すなわち、第１支持部材１２２、第２支持部材１２４、第３支持部材１２６は、兼用部品として構成するのが好ましい。或いは、第１支持部材１２２を第１連結部材１０２の１つの壁部に対して溶接により取付ける場合、第２支持部材１２４と第３支持部材１２６を兼用部品として構成し、第１支持部材１２２は第２支持部材１２４と異なるように構成してもよい。第１連結部材１０２と、第２連結部材１１２は同じ材料で形成するのが好ましい。第１支持部材１２２、第２支持部材１２４、第３支持部材１２６は、第１連結部材１０２と同じ材料で形成するのが好ましい。第１連結部材１０２、第２連結部材１１２、第１支持部材１２２は同じ材料で形成するのが好ましい。第１支持部材１２２を第１連結部材１０２に取付けるための基準となる２つの取付基準穴１２２ｆ、１２２ｇが取付壁部１２２ｄに設けられる。取付基準穴は２箇所であるのが好ましい。或いは、取付基準穴は１箇所であってもよいし、３箇所以上であってもよい。
【００１７】
取付基準穴１２２ｆの寸法形状は、取付基準穴１２２ｇの寸法形状と同じになるように構成されるのが好ましい。取付基準穴１２２ｆの寸法形状は、取付基準穴１０２ｆの寸法形状と同じになるように構成されるのが好ましい。取付基準穴１２２ｇの寸法形状は、取付基準穴１０２ｇの寸法形状と同じになるように構成されるのが好ましい。取付基準穴１２２ｆと取付基準穴１２２ｇの中心距離は、取付基準穴１０２ｆと取付基準穴１０２ｇの中心距離と同じになるように構成されるのが好ましい。第１支持部材１２２において取付基準穴１２２ｆを設ける位置は、第１連結部材１０２において取付基準穴１０２ｍを設ける位置に対応するように構成される。第１支持部材１２２において取付基準穴１２２ｇを設ける位置は、第２連結部材１１２において取付基準穴１０２ｎを設ける位置に対応するように構成される。第１支持部材１２２において取付基準穴１２２ｆを設ける位置は、第１連結部材１０２において取付基準穴１０２ｆを設ける位置に対応するように構成される。第１支持部材１２２において取付基準穴１２２ｇを設ける位置は、第１連結部材１０２において取付基準穴１０２ｇを設ける位置に対応するように構成される。第１支持部材１２２において取付基準穴１２２ｆを設ける位置は、第２連結部材１１２において取付基準穴１１２ｆを設ける位置に対応するように構成される。
【００１８】
第１支持部材１２２において取付基準穴１２２ｇを設ける位置は、第２連結部材１１２において取付基準穴１１２ｇを設ける位置に対応するように構成される。第１支持部材１２２において取付基準穴１２２ｆを設ける位置は、第２連結部材１１２において取付基準穴１１２ｍを設ける位置に対応するように構成される。第１支持部材１２２において取付基準穴１２２ｇを設ける位置は、第２連結部材１１２において取付基準穴１１２ｍを設ける位置に対応するように構成される。第１連結部材１０２と第２連結部材１１２を固定するためのボルトを通すための第１固定ボルト穴１２２ｈが第１保持壁部１２２ｂに設けられる。第１連結部材１０２と第２連結部材１１２を固定するためのボルトを通すための第２固定ボルト穴１２２ｊが第２保持壁部１２２ｃに設けられる。固定ボルト穴は第１保持壁部１２２ｂに１箇所形成されるのが好ましい。或いは、固定ボルト穴は第１保持壁部１２２ｂに２箇所以上形成されてもよい。固定ボルト穴は第２保持壁部１２２ｃに１箇所形成されるのが好ましい。或いは、固定ボルト穴は第２保持壁部１２２ｃに２箇所以上形成されてもよい。第１固定ボルト穴１２２ｈの寸法形状は、第２固定ボルト穴１２２ｊの寸法形状と同じになるように構成されるのが好ましい。第１固定ボルト穴１２２ｈを設ける位置は、第２固定ボルト穴１２２ｊを設ける位置に対応するように構成される。第１支持部材１２２において第１固定ボルト穴１２２ｈを設ける位置は、第２連結部材１１２において固定ボルト穴１１２ｈを設ける位置に対応するように構成される。図１を参照すると、第１連結部材１０２と第２連結部材１１２を固定するとき、第１支持部材１２２の固定ボルト穴１２２ｈおよび第２固定ボルト穴１２２ｊと、第２連結部材１１２の固定ボルト穴１１２ｈに蝶ボルト１３０を貫通させ、蝶ナット１３０を蝶ボルト１３０に締め付ける。第１連結部材１０２と第２連結部材１１２を固定し、互いに固定された第１連結部材１０２および第２連結部材１１２をテントの支持に取付け、横幕の支持棒（図示せず）又は支持ひも（図示せず）のそれぞれの端部を支持部材１２２に固定することができる。
【００１９】
（１・２）連結装置の組立と使用
次に、本発明の連結装置１００の組立と使用について説明する。図１〜図５を参照すると、連結装置１００を組み立てるとき、最初に、第１支持部材１２２を第１連結部材１０２の左壁部１０２ｃに対して溶接により取付ける。或いは、第１支持部材１２２は第１連結部材１０２に対してボルト及びナットを用いて取付けてもよいし、リベットピンを用いて取付けてもよいし、接着により取付けてもよいし、他の接合方法を用いて取付けてもよい。第１支持部材１２２を第１連結部材１０２の左壁部１０２ｃに溶接するとき、第１支持部材１２２の取付基準穴１２２ｆを第１連結部材１０２の取付基準穴１０２ｆに合わせ、第１連結部材１０２の取付基準穴１２２ｇを第１連結部材１０２の取付基準穴１０２ｇに合わせることにより、第１連結部材１０２に対する第１支持部材１２２の位置を正確に決めることができる。
【００２０】
次に、第２支持部材１２４を第１連結部材１０２の前壁部１０２ｂに対してボルト及びナットを用いて取付ける。第２支持部材１２４は、第１支持部材１２２と同じものを使用することができる。すなわち、第２支持部材１２４を第１連結部材１０２の前壁部１０２ｂに取付けるとき、第１支持部材１２２を第２支持部材１２４として用いる。この場合、第１支持部材１２２の取付基準穴１２２ｆを第１連結部材１０２の取付基準穴１０２ｍに合わせ、第１支持部材１２２の取付基準穴１２２ｇを第１連結部材１０２の取付基準穴１０２ｎに合わせることにより、取付基準穴１２２ｆおよび取付基準穴１０２ｍに第１のボルト１３６を貫通させ、第１のナット１３８を第１のボルト１３６に締め付ける。また、取付基準穴１２２ｇおよび取付基準穴１０２ｎに第２のボルト１３６を貫通させ、第２のナット１３８を第２のボルト１３６に締め付ける。第１連結部材１０２に第１支持部材１２２および第２支持部材１２４を取付けたとき、第１支持部材１２２の保持壁部は、第２支持部材１２４の保持壁部と直角になるように構成される。
【００２１】
次に、第３支持部材１２６を第２連結部材１１２の後壁部１１２ｂに対してボルト及びナットを用いて取付ける。第３支持部材１２６は、第１支持部材１２２と同じものを使用することができる。すなわち、第３支持部材１２６を第２連結部材１１２の後壁部１１２ｂに取付けるとき、第１支持部材１２２を第３支持部材１２６として用いる。この場合、第１支持部材１２２の取付基準穴１２２ｆを第２連結部材１１２の取付基準穴１１２ｆに合わせ、第１支持部材１２２の取付基準穴１２２ｇを第２連結部材１１２の取付基準穴１１２ｇに合わせることにより、取付基準穴１２２ｆおよび取付基準穴１１２ｆに第１のボルト１３６を貫通させ、第１のナット１３８を第１のボルト１３６に締め付ける。また、取付基準穴１２２ｇおよび取付基準穴１１２ｇに第２のボルト１３６を貫通させ、第２のナット１３８を第２のボルト１３６に締め付ける。次に、第１連結部材１０２の前壁スリット１０２ｊを第２連結部材１１２の右壁スリット１１２ｋに合わせ、第１連結部材１０２の左壁スリット１０２ｋを第２連結部材１１２の後壁スリット１１２ｊに合わせ、図１に太い矢印で示すように、第１連結部材１０２と第２連結部材１１２を上下方向に嵌め合わせる。第１連結部材１０２と第２連結部材１１２を組み立てたとき、第１支持部材１２２の保持壁部は、第３支持部材１２６の保持壁部と直角になるように構成される。
【００２２】
或いは、本発明の連結装置では、第２支持部材１２４を取付けないように構成することもできる。或いは、本発明の連結装置では、第３支持部材１２６を取付けないように構成することもできる。或いは、本発明の連結装置では、第２支持部材１２４および第３支持部材１２６を取付けないように構成することもできる。或いは、本発明の連結装置では、第４支持部材（図示せず）を第１連結部材１０２の右壁部１１２ｃに取付けるように構成することもできる。したがって、本発明では、第１連結部材１０２と第２連結部材１１２と第１支持部材１２２で構成される連結装置、第１連結部材１０２と第２連結部材１１２と第１支持部材１２２と第２支持部材１２４で構成される連結装置、第１連結部材１０２と第２連結部材１１２と第１支持部材１２２と第２支持部材１２４と第２支持部材１２６で構成される連結装置を、それぞれ必要に応じて必要な数だけ準備することができる。図１５を参照すると、本発明では、必要に応じて、すべての支持部材を兼用にすることができる。したがって、１つの支持部材１２２を備えた連結装置１００を用意して、矢印で示すように１つ、又は２つ、又は３つの支持部材１２２を取付けることにより、必要に応じて、１つ〜４つの間の任意の数の支持部材１２２を備えた連結装置１００を実現することができる。このようにして用意した連結装置１００をテントの支柱１６４に取付けることができる。連結装置１００はテントの支柱１６４の高さ調整ボタン１６５の上にのるように配置することができる。この場合、第１連結部材１０２が高さ調整ボタン１６５の上にのるように配置するのが好ましい。高さ調整ボタン１６５がない場合、連結装置１００を位置決めするために、支柱１６４に固定できるように構成した保持リング（図示せず）を支柱１６４に取付けてもよいし、保持テープ（図示せず）を支柱１６４に巻きつけてもよい。
【００２３】
図１６および図１７を参照すると、四角形のテント１６０は天蓋１６２と、４本の支柱１６４を有する。連結部材の４つの壁部のうちで隣接する２つの壁部のそれぞれに支持部材１２２を取付けた連結装置１００を、４本の支柱のそれぞれに取付ける。支持部材１２２が、２つの支柱１６４の間に向かい合うような向きになるように、連結装置１００を支柱に取付ける。図１に示す蝶ボルト１３０および蝶ナット１３２を用いて、横幕１６８の支持棒（図示せず）又は支持ひも（図示せず）のそれぞれの端部を支持部材１２２に固定することができる。或いは、横幕１６８の支持ひも（図示せず）は、支持部材１２２の第１固定ボルト穴１２２ｈ、第２固定ボルト穴１２２ｊに固定することもできる。図示した実施形態は、４つの横幕１６８を用いているけれども、横幕１６８は、必要に応じて、１つ〜４つの間の任意の数の横幕１６８を使用することができる。２つの連結装置１００の間に横幕１６８を取り付けることにより、テント１６０の内部を外部から遮断することができる。すなわち、横幕１６８は、ついたてのような役割を果たすことができる。また、連結装置１００に横幕１６８を取り付けることにより、テント１６０の内部を隠すことができる。さらに、横幕１６８に広告を印刷したり、横幕１６８にポスターを貼ることもできる。すなわち、横幕１６８を広告媒体として利用することができる。さらに、２つの連結装置１００の間に横幕１６８を取り付けることにより、テント１６０の内部に風、雨、日差し、ほこりなどが入るのを効果的に遮ることができる。
【００２４】
変形例として、図１８および図１９を参照すると、横方向に細長い長方形のテント１７０は天蓋１７２と、６本の支柱１７４を有する。連結部材の４つの壁部のうちで隣接する２つの壁部のそれぞれに支持部材１２２を取付けた連結装置１００を４つ用意し、連結部材の４つの壁部のうちで３つの壁部のそれぞれに支持部材１２２を取付けた連結装置１００を２つ用意する。２つの支持部材１２２を取付けた連結装置１００をテント１７０の４つのコーナにある４本の支柱のそれぞれに取付ける。３つの支持部材１２２を取付けた連結装置１００をテント１７０の中間の位置にある２本の支柱のそれぞれに取付ける。この場合、支持部材１２２が、２つの支柱１６４の間に向かい合うような向きになるように、連結装置１００を支柱に取付ける。図１に示す蝶ボルト１３０および蝶ナット１３０を用いて、横幕（半横幕）１７８の支持棒（図示せず）又は支持ひも（図示せず）のそれぞれの端部を支持部材１２２に固定することができる。図示した実施形態は、７つの横幕１７８を用いているけれども、横幕１７８は、必要に応じて、１つ〜７つの間の任意の数の横幕１６８を使用することができる。
【００２５】
変形例として、図２０を参照すると、四角形のテント１６０において、連結部材の４つの壁部のうちで１つの壁部だけに支持部材１２２を取付けた連結装置１００を、４本の支柱のそれぞれに取付ける。支持部材１２２が、２つの支柱１６４の間に向かい合うような向きになるように、連結装置１００を支柱１６４に取付ける。図１に示す蝶ボルト１３０および蝶ナット１３２を用いて、横幕１６８の支持棒（図示せず）又は支持ひも（図示せず）のそれぞれの端部を支持部材１２２に固定する。図示した実施形態は、テント１６０の左右の２面にそれぞれ横幕１６８を用い、テント１６０の後部の全面に、天蓋１７２から下方に延びる遮蔽幕１６９を用い、テント１６０の前部には、横幕１６８を用いていない。以上説明したように、本発明により、必要に応じて、テント１６０において、任意の数の横幕１６８を使用することができる。
【００２６】
（２）第２の実施の形態
次に、本発明の連結装置の第２の実施の形態を説明する。以下の説明は、本発明の連結装置の第２の実施形態が本発明の連結装置の第１の実施形態と異なる点を主に述べる。したがって、以下に記載がない個所は、前述した本発明の連結装置の第１の実施形態についての説明をここに準用する。
【００２７】
本発明の連結装置の第２の実施の形態は、六角形のテント２６０に適用するための連結装置２００である。図２１および図２を参照すると、六角形のテント２６０は天蓋２６２と、６本の支柱２６４を有する。連結部材の４つの壁部のうちで対面する２つの壁部のそれぞれに支持部材２２２を取付けた連結装置２００を、６本の支柱２６４のそれぞれに取付ける。支持部材２２２が、２つの支柱２６４の間に向かい合うような向きになるように、連結装置２００を支柱に取付ける。蝶ボルト（図示せず）および蝶ナット（図示せず）を用いて、横幕２６８の支持棒（図示せず）又は支持ひも（図示せず）のそれぞれの端部を支持部材２２２に固定することができる。図示した実施形態は、６つの横幕２６８を用いているけれども、横幕２６８は、必要に応じて、１つ〜６つの間の任意の数の横幕２６８を使用することができる。２つの連結装置２００の間に横幕２６８を取り付けることにより、テント２６０の内部を外部から遮断することができる。
【００２８】
図２７を参照すると、本発明の連結装置の第２の実施の形態において、連結装置２００は、第１連結部材１０２と、第１連結部材１０２と組み合わせることができるように構成された第２連結部材１１２と、第１連結部材１０２の１つの壁部に取付けられ、かつ、第１の横幕（図示せず）を支持するための第１の斜め型支持部材２２２と、第２連結部材１１２の１つの壁部に取付けられ、かつ、第２の横幕（図示せず）を支持するための第２の斜め型支持部材２２２とを備える。図示した実施形態においては、第１の斜め型支持部材２２２と、第２の斜め型支持部材２２２は兼用部品である。図２３〜図２６を参照すると、斜め型支持部材２２２は、第１保持壁部２２２ｂと、第２保持壁部２２２ｃと、取付壁部２２２ｄとを含む。第１保持壁部１２２ｂと、取付壁部１２２ｄのなす角度ＤＢは６０度であるように形成される。第２保持壁部２２２ｃと、取付壁部１２２ｄのなす角度ＤＣは１２０度であるように形成される。ここで、（ＤＢ＋ＤＣ）は１８０度であるように構成されている。第１保持壁部２２２ｂと、第２保持壁部２２２ｃは平行に形成される。斜め型支持部材２２２は、ステンレス鋼、アルミニウム合金などの金属で形成される。或いは、斜め型支持部材２２２は、プラスチックで形成することもできる。１つの連結装置２００に含まれる２つの斜め型支持部材２２２は、兼用部品として構成するのが好ましい。斜め型支持部材２２２は、第１連結部材１０２の１つの壁部に対して溶接により取付けることもできるし、ボルト及びナットを用いて取付けてもよいし、リベットピンを用いて取付けてもよいし、接着により取付けてもよいし、他の接合方法を用いて取付けてもよい。
【００２９】
斜め型支持部材２２２を第１連結部材１０２または第２連結部材１１２に取付けるための基準となる２つの取付基準穴２２２ｆ、２２２ｇが取付壁部２２２ｄに設けられる。取付基準穴は２箇所であるのが好ましい。或いは、取付基準穴は１箇所であってもよいし、３箇所以上であってもよい。取付基準穴２２２ｆの寸法形状は、取付基準穴２２２ｇの寸法形状と同じになるように構成されるのが好ましい。斜め型支持部材２２２の取付基準穴２２２ｆの寸法形状は、第１連結部材１０２の取付基準穴１０２ｆの寸法形状と同じになるように構成されるのが好ましい。斜め型支持部材２２２の取付基準穴２２２ｇの寸法形状は、第１連結部材１０２の取付基準穴１０２ｇの寸法形状と同じになるように構成されるのが好ましい。斜め型支持部材２２２の取付基準穴２２２ｆと取付基準穴２２２ｇの中心距離は、第１連結部材１０２の取付基準穴１０２ｆと取付基準穴１０２ｇの中心距離と同じになるように構成されるのが好ましい。斜め型支持部材２２２において取付基準穴２２２ｆを設ける位置は、第１連結部材１０２において取付基準穴１０２ｍを設ける位置に対応するように構成される。斜め型支持部材２２２において取付基準穴２２２ｇを設ける位置は、第２連結部材１１２において取付基準穴１０２ｎを設ける位置に対応するように構成される。
【００３０】
第１連結部材１０２と第２連結部材１１２を固定するためのボルトを通すための第１固定ボルト穴２２２ｈが第１保持壁部２２２ｂに設けられる。第１固定ボルト穴２２２ｈは、水平方向が長い長穴であるのがよい。第１連結部材１０２と第２連結部材１１２を固定するためのボルトを通すための第２固定ボルト穴２２２ｊが第２保持壁部２２２ｃに設けられる。固定ボルト穴は第１保持壁部２２２ｂに１箇所形成されるのが好ましい。或いは、固定ボルト穴は第１保持壁部２２２ｂに２箇所以上形成されてもよい。固定ボルト穴は第２保持壁部２２２ｃに１箇所形成されるのが好ましい。或いは、固定ボルト穴は第２保持壁部２２２ｃに２箇所以上形成されてもよい。第１固定ボルト穴２２２ｈを設ける位置は、第２固定ボルト穴２２２ｊを設ける位置に対応するように構成される。斜め型支持部材２２２において第１固定ボルト穴２２２ｈを設ける位置は、第２連結部材１１２において固定ボルト穴１１２ｈを設ける位置に対応するように構成される。図２７を参照すると、第１連結部材１０２と第２連結部材１１２を固定するとき、斜め型支持部材２２２の固定ボルト穴２２２ｈおよび第２固定ボルト穴２２２ｊと、第２連結部材１１２の固定ボルト穴１１２ｈに蝶ボルト２３０を貫通させ、蝶ナット２３０を蝶ボルト２３０に締め付ける。第１固定ボルト穴２２２ｈが長穴であることにより、斜め型支持部材２２２の第１保持壁部２２２ｂおよび第２保持壁部２２２ｃと、第２連結部材１１２の左フランジ部１１２ｅとを、蝶ナット２３０を蝶ボルト２３０を用いて確実に固定することができる。第１連結部材１０２と第２連結部材１１２を固定し、互いに固定された第１連結部材１０２および第２連結部材１１２をテントの支柱に取付け、横幕の支持棒（図示せず）又は支持ひも（図示せず）のそれぞれの端部を斜め型支持部材２２２に固定することができる。第１連結部材１０２と第２連結部材１１２を組み立てたとき、第１の斜め型支持部材２２２の保持壁部は、第２の斜め型支持部材２２２の保持壁部に対して１２０度の角度をなすように構成される。
【００３１】
さらに、変形例として、図２３を参照すると、斜め型支持部材２２２において、第１保持壁部１２２ｂと、取付壁部１２２ｄのなす角度ＤＢ、および、第２保持壁部２２２ｃと、取付壁部１２２ｄのなす角度ＤＣを変えることにより、六角形以外の形状を有するテントに対応することができる。ここで、第１保持壁部１２２ｂと、第２保持壁部２２２ｃは平行であるように形成される。したがって、（ＤＢ＋ＤＣ）は１８０度であるように構成されている。例えば、正八角形の形状を有するテントに適用するとき、ＤＢを４５度とし、ＤＣを１３５度とすればよい。すなわち、正Ｎ角形の形状を有するテントに適用するとき、ＤＢを（３６０／Ｎ）度とし、ＤＣを（１８０−（３６０／Ｎ））度とすればよい。したがって、本発明の連結装置は、前記角度ＤＢおよび前記角度ＤＣが異なる値となるように形成された複数の斜め型支持部材を含むように構成することができる。このように構成することにより、本発明の連結装置は、１種類の第１連結部材１０２と、１種類の第２連結部材１１２を用意しておくだけで、斜め型支持部材の形状を変えることにより、種々の形状を有するテントに幅広く適用することができる。
【００３２】
（３）第３の実施の形態
次に、本発明の連結装置の第３の実施の形態を説明する。以下の説明は、本発明の連結装置の第３の実施形態が本発明の連結装置の第１の実施形態と異なる点を主に述べる。したがって、以下に記載がない個所は、前述した本発明の連結装置の第１の実施形態についての説明をここに準用する。
【００３３】
図２８および図２９を参照すると、本発明の連結装置の第３の実施の形態において、連結装置３００は、第１連結部材３０２と、第１連結部材３０２と組み合わせることができるように構成された第２連結部材３１２と、第１連結部材３０２の壁部に取付けられ、かつ、第１の横幕（図示せず）を支持するための第１の支持部材３２２と、第２連結部材３１２の壁部に取付けられ、かつ、第２の横幕（図示せず）を支持するための第２の支持部材３２２とを備える。図示した実施形態においては、第１の支持部材３２２と、第２の支持部材３２２は兼用部品である。第１の支持部材３２２、および、第２の支持部材３２２は、前述した本発明の連結装置の第１の実施形態における支持部材１２２と同様な寸法形状を有する部品とすることができる。第１の支持部材３２２は、第１連結部材３０２の壁部に溶接される。第２の支持部材３２２は、第２連結部材３１２の壁部に溶接される。
【００３４】
第１連結部材３０２は、前壁部３０２ｂと、左壁部３０２ｃと、前壁部３０２ｂと左壁部３０２ｃとの間に設けられた前円弧部３０２ｘとを含む。前壁部３０２ｂと、左壁部３０２ｃは、直角をなすように形成される。第２連結部材３１２は、後壁部３１２ｂと、右壁部３１２ｃと、左壁部３１２ｄと、左フランジ部１１２ｅと、後円弧部３１２ｘとを含む。後壁部３１２ｂと、右壁部３１２ｃは、直角をなすように形成される。後壁部３１２ｂと、左壁部３１２ｄは、直角をなすように形成される。左壁部３１２ｄと、左フランジ部３１２ｅは、直角をなすように形成される。後壁部３１２ｂと、左フランジ部３１２ｅは、平行に形成される。第１連結部材３０２の前壁部３０２ｂ、第１連結部材３０２の左壁部３０２ｃ、第２連結部材３１２の後壁部３１２ｂ、第２連結部材３１２の右壁部３１２ｃは、第１連結部材３０２と第２連結部材３１２を組み立てて固定したとき、内側の水平断面が正方形の各辺の部分になるように構成される。第１連結部材３０２の前円弧部３０２ｘと、第２連結部材３１２の後円弧部３１２ｘは、第１連結部材３０２と第２連結部材３１２を組み立てて固定したとき、内側の水平断面が円形の部分になるように構成される。この構成により、第１連結部材３０２の前円弧部３０２ｘと、第２連結部材３１２の後円弧部３１２ｘが、水平断面が円形であるテントの支柱３６４の外周部に接触するようにして、テントの支柱３６４に連結装置３００を確実に取付けることができる。
【産業上の利用可能性】
【００３５】
本発明の連結装置は、テントの配置を支持した後、１個又は複数の横幕を容易に支柱に取り付けることができる。また、本発明の連結装置は、支柱に対して各種の方向に横幕を取り付けるときでも対応することができる。
本発明について幾つかの好ましい実施形態を参照して説明したけれども、それらの実施形態は本発明を限定するものとして解釈すべきではない。当業者であれば、上記の実施形態の代替例や修正例をたやすく考え出すことができるであろうけれども、それらは、特許請求の範囲の各項により定められる本発明の範囲に入るものである。
【図面の簡単な説明】
【００３６】
【図１】図１は、本発明の連結装置の第１の実施の形態において、組立前の状態における連結装置を示す分解斜視図である。
【図２】図２は、本発明の連結装置の第１の実施の形態において、組み立てた状態における連結装置を示す上面図である。
【図３】図３は、本発明の連結装置の第１の実施の形態において、組み立てた状態における連結装置を示す正面図である。
【図４】図４は、本発明の連結装置の第１の実施の形態において、組み立てた状態における連結装置を示す背面図である。
【図５】図５は、本発明の連結装置の第１の実施の形態において、組み立てた状態における連結装置を示す左側面図である。
【図６】図６は、本発明の連結装置の第１の実施の形態において、第１連結部材を示す上面図である。
【図７】図７は、本発明の連結装置の第１の実施の形態において、第１連結部材を示す正面図である。
【図８】図８は、本発明の連結装置の第１の実施の形態において、第１連結部材を示す左側面図である。
【図９】図９は、本発明の連結装置の第１の実施の形態において、第２連結部材を示す上面図である。
【図１０】図１０は、本発明の連結装置の第１の実施の形態において、第２連結部材を示す背面図である。
【図１１】図１１は、本発明の連結装置の第１の実施の形態において、第２連結部材を示す左側面図である。
【図１２】図１２は、本発明の連結装置の第１の実施の形態において、第１支持部材を示す上面図である。
【図１３】図１３は、本発明の連結装置の第１の実施の形態において、第１支持部材を示す正面図である。
【図１４】図１４は、本発明の連結装置の第１の実施の形態において、第１支持部材を示す左側面図である。
【図１５】図１５は、本発明の連結装置の第１の実施の形態において、連結装置に３つの支持部材を取付ける方法の概略を示す上面図である。
【図１６】図１６は、本発明の連結装置の第１の実施の形態において、４本の支柱を有する四角形のテントで連結装置に横幕を取付ける方法の概略を示す上面図である。
【図１７】図１７は、本発明の連結装置の第１の実施の形態において、４本の支柱を有する四角形のテントで４方向に横幕を取付けた状態を示す斜視図である。
【図１８】図１８は、本発明の連結装置の第１の実施の形態において、６本の支柱を有する長方形のテントで連結装置に横幕を取付ける方法の概略を示す上面図である。
【図１９】図１９は、本発明の連結装置の第１の実施の形態において、６本の支柱を有する長方形のテントで４方向に横幕を取付けた状態を示す斜視図である。
【図２０】図２０は、本発明の連結装置の第１の実施の形態において、４本の支柱を有する四角形のテントで、前面を除いて他の３方向に横幕を取付けた状態を示す斜視図である。
【図２１】図２１は、本発明の連結装置の第２の実施の形態において、６本の支柱を有する六角形のテントで、６方向に横幕を取付けた状態を示す斜視図である。
【図２２】図２２は、本発明の連結装置の第２の実施の形態において、６本の支柱を有する六角形のテントで連結装置に横幕を取付ける方法の概略を示す上面図である。
【図２３】図２３は、本発明の連結装置の第２の実施の形態において、斜め型支持部材を示す上面図である。
【図２４】図２４は、本発明の連結装置の第２の実施の形態において、斜め型支持部材を示すを示す正面図である。
【図２５】図２５は、本発明の連結装置の第２の実施の形態において、斜め型支持部材を示す背面図である。
【図２６】図２６は、本発明の連結装置の第２の実施の形態において、斜め型支持部材を示す左側面図である。
【図２７】図２７は、本発明の連結装置の第２の実施の形態において、組み立てた状態における連結装置を示す上面図である。
【図２８】図２８は、本発明の連結装置の第３の実施の形態において、組立前の状態における連結装置を示す分解斜視図である。
【図２９】図２９は、本発明の連結装置の第３の実施の形態において、組み立てた状態における連結装置を示す上面図である。
【符号の説明】
【００３７】
１００  連結装置
１０２  第１連結部材
１１２  第２連結部材
１２２  第１支持部材
１２４  第２支持部材
１２６  第３支持部材
２００  連結装置
２２２  斜め型支持部材
３００  連結装置
３０２  第１連結部材
３１２  第２連結部材
３２２  支持部材
【図１】
2005180025.tif 000003
【図２】
2005180025.tif 000004
【図３】
2005180025.tif 000005
【図４】
2005180025.tif 000006
【図５】
2005180025.tif 000007
【図６】
2005180025.tif 000008
【図７】
2005180025.tif 000009
【図８】
2005180025.tif 000010
【図９】
2005180025.tif 000011
【図１０】
2005180025.tif 000012
【図１１】
2005180025.tif 000013
【図１２】
2005180025.tif 000014
【図１３】
2005180025.tif 000015
【図１４】
2005180025.tif 000016
【図１５】
2005180025.tif 000017
【図１６】
2005180025.tif 000018
【図１７】
2005180025.tif 000019
【図１８】
2005180025.tif 000020
【図１９】
2005180025.tif 000021
【図２０】
2005180025.tif 000022
【図２１】
2005180025.tif 000023
【図２２】
2005180025.tif 000024
【図２３】
2005180025.tif 000025
【図２４】
2005180025.tif 000026
【図２５】
2005180025.tif 000027
【図２６】
2005180025.tif 000028
【図２７】
2005180025.tif 000029
【図２８】
2005180025.tif 000030
【図２９】
2005180025.tif 000031